(57)【要約】【課題】取扱性に優れ、洗浄やその他の操作もしくは作業を容易かつ適切に行なうことが可能な試料用セルを提供する。【解決手段】試料載置部１１ａを有するセル本体部１と、このセル本体部１の上側に重ね合わされて用いられ、かつ試料Ｓを挟むようにして試料載置部１１ａに対向配置させるための試料押さえ部２１ａを有するカバー２と、を備えており、セル本体部１およびカバー２は、これらを互いに重ね合わせた状態において試料載置部１１ａの下方領域から試料押さえ部２１ａの上方領域にわたって透光性を有している、試料用セルＣ１であって、カバー２は、セル本体部１に回転可能に連結され、かつこの連結部分を中心として回転操作されることにより、試料押さえ部２１ａを試料載置部１１ａの上方に対向配置させた閉状態と、試料載置部１１ａの上方を開放させた開状態とを選択的に設定可能である。【選択図】  図２
2014228404.tif 000002
【特許請求の範囲】
【請求項１】
試料を載せるための試料載置部を有するセル本体部と、
このセル本体部の上側に重ね合わされて用いられ、かつこの重ね合わせ時に前記試料を挟むようにして前記試料載置部に対向配置させるための試料押さえ部を有するカバーと、
を備えており、
前記セル本体部および前記カバーは、これらを互いに重ね合わせた状態において、少なくとも前記試料載置部の下方領域から前記試料押さえ部の上方領域にわたって透光性を有するように構成されている、試料用セルであって、
前記カバーは、前記セル本体部に回転可能に連結され、かつこの連結部分を中心として回転操作されることにより、前記試料載置部の上方に前記試料押さえ部が対向配置された閉状態と、前記試料載置部の上方から前記カバーが退避して前記試料載置部の上方が開放した開状態とを選択的に設定可能とされていることを特徴とする、試料用セル。
【請求項２】
請求項１に記載の試料用セルであって、
前記セル本体部および前記カバーのうち、少なくとも一方には、前記カバーを前記閉状態に設定した際に他方に当接することによって前記試料載置部と前記試料押さえ部との間に隙間を形成し、かつこの隙間を所定寸法に規定する少なくとも１つのスペーサ用凸部が設けられている、試料用セル。
【請求項３】
請求項２に記載の試料用セルであって、
前記スペーサ用凸部としては、昇降可能に設けられ、かつ弾性部材によって常時上方に付勢されている可動型のスペーサ用凸部を備えており、
前記カバーが前記閉状態に設定された状態において下向きに押圧された際には、前記可動型のスペーサ用凸部が下降することにより、前記試料載置部と前記試料押さえ部との間に形成された隙間を前記所定寸法よりも小さくすることが可能であり、かつその後に前記押圧を解除した際には、前記可動型のスペーサ用凸部が所定位置まで上昇し、前記隙間が前記所定寸法に規定されるように構成されている、試料用セル。
【請求項４】
請求項１ないし３のいずれかに記載の試料用セルであって、
前記セル本体部は、前記試料載置部を形成する透光部材を、この透光部材とは別部材によって支持させた構造とされ、
前記カバーは、前記試料押さえ部を形成する透光部材を、この透光部材とは別部材によって支持させた構造とされている、試料用セル。
【請求項５】
請求項１ないし４のいずれかに記載の試料用セルであって、
前記カバーのうち、前記セル本体部との連結が図られている一端部は、前記カバーを前記閉状態に設定した際に上下方向に移動可能であり、かつ前記一端部の上下方向への移動により、前記カバーの傾き角度の変更または傾きの修正が可能とされている、試料用セル。
【請求項６】
請求項１ないし５のいずれかに記載の試料用セルであって、
前記セル本体部の試料載置部は、この試料載置部の周辺部よりも上向きに突出した凸状段部とされ、
前記カバーの試料押さえ部は、このカバーの前記閉状態においてこの試料押さえ部の周辺部よりも下向きに突出した凸状段部とされている、試料用セル。
【発明の詳細な説明】
【技術分野】
【０００１】
本発明は、試料の分析、検査、撮像、あるいは観察などを行なう場合において、試料を保持するのに用いられる試料用セルに関する。
【背景技術】
【０００２】
この種の試料用セルの一例として、図８に示すようなものがある（たとえば、特許文献１を参照）。
図８に示す試料用セルＣｅは、試料Ｓの分光測定に用いられるものであり、透光性を有するセル本体部９１（基板）と、カバー９２（押さえ板）とを組み合わせたものである。セル本体部９１の上面には、溝部９１ａが形成されており、この溝部９１ａに液体試料Ｓを滴下させた後に、その上側をカバー９２によって覆うことにより、液体試料Ｓの保持が可能である。このような構成によれば、液体試料Ｓの厚み（測定光路長）を溝部９１ａの深さと同一寸法に規定した上で、液体試料Ｓに所定の光を照射し、分光測定を行なうことができる。
【０００３】
しかしながら、前記従来技術においては、次に述べるように、未だ改善すべき余地があった。
【０００４】
すなわち、試料用セルＣｅを構成するセル本体部９１およびカバー９２は、互いに連結などがなされておらず、完全に分離した２つの部材とされている。このため、それらの取扱いに際して不便を生じ、分光測定やその他の処理・作業を行なう際の作業性が悪いものとなっていた。
具体的には、セル本体部９１上に液体試料Ｓを滴下させた後には、その上側にカバー９２を載せるが、その際にカバー９２の位置決めガイドなどは存在しない。したがって、作業者は、カバー９２を所定位置に載せる作業をかなり慎重に行なう必要がある。また、カバー９２をセル本体部９１上に載せた状態においても、カバー９２の位置決め固定などがとくに図られている訳ではないために、試料用セルＣｅを分光測定装置の所定箇所にセットするような場合には、カバー９２が位置ずれなどを生じないように神経を払う必要がある。さらに、１つの液体試料Ｓの分光測定が終了した場合には、次の液体試料Ｓの分光測定に繰り返し使用が可能なように、セル本体部９１やカバー９２を洗浄するが、この洗浄作業に際しては、互いに分離しているセル本体部９１およびカバー９２を個々に洗浄する必要がある。このため、やはりその作業は面倒なものとなる。したがって、このようなことが改善されることが要望される。
【先行技術文献】
【特許文献】
【０００５】
【特許文献１】特開２００７−１７０９８４号公報
【発明の概要】
【発明が解決しようとする課題】
【０００６】
本発明は、前記したような事情のもとで考え出されたものであり、取扱性に優れ、洗浄やその他の操作もしくは作業を容易かつ適切に行なうことが可能な試料用セルを提供することを、その課題としている。
【課題を解決するための手段】
【０００７】
上記の課題を解決するため、本発明では、次の技術的手段を講じている。
【０００８】
本発明により提供される試料用セルは、試料を載せるための試料載置部を有するセル本体部と、このセル本体部の上側に重ね合わされて用いられ、かつこの重ね合わせ時に前記試料を挟むようにして前記試料載置部に対向配置させるための試料押さえ部を有するカバーと、を備えており、前記セル本体部および前記カバーは、これらを互いに重ね合わせた状態において、少なくとも前記試料載置部の下方領域から前記試料押さえ部の上方領域にわたって透光性を有するように構成されている、試料用セルであって、前記カバーは、前記セル本体部に回転可能に連結され、かつこの連結部分を中心として回転操作されることにより、前記試料載置部の上方に前記試料押さえ部が対向配置された閉状態と、前記試料載置部の上方から前記カバーが退避して前記試料載置部の上方が開放した開状態とを選択的に設定可能とされていることを特徴としている。
【０００９】
このような構成によれば、セル本体部とカバーとが互いに連結されているために、これらを一纏めにして取り扱うことが可能であり、試料用セルの取扱性が良好となる。たとえば、セル本体部やカバーを洗浄するような場合には、カバーを開状態に設定し、試料載置部や試料押さえ部を容易に洗浄することができる。カバーを開状態に設定して試料載置部上に試料を載せた後には、カバーを回転させて閉状態とすることにより、試料を試料載置部と試料押さえ部との間に挟み込むことが可能であり、このような操作も容易となる。また、カバーとセル本体部とが連結されている分だけ、カバーの閉状態において、それら両者の位置決めなども安定し、たとえば分光測定装置に試料用セルをセットするような場合に、不用意にカバーが位置ずれするといった虞を少なくする効果も期待できる。その他、本発明に係る試料用セルは、不使用時にはカバーを閉状態としておくことにより、試料載置部や試料押さえ部の保護を図ることもできる。
【００１０】
本発明において、好ましくは、前記セル本体部および前記カバーのうち、少なくとも一方には、前記カバーを前記閉状態に設定した際に他方に当接することによって前記試料載置部と前記試料押さえ部との間に隙間を形成し、かつこの隙間を所定寸法に規定する少なくとも１つのスペーサ用凸部が設けられている。
【００１１】
このような構成によれば、試料載置部と試料押さえ部との間に挟まれる試料の厚みを所定の寸法に正確に規定することが容易となる。試料の厚みを所定の寸法に正確に規定することは、たとえば試料用セルを分光測定に用いるような場合に要請されるが、前記構成によれば、そのような要請に的確に応えることができる。
【００１２】
本発明において、好ましくは、前記スペーサ用凸部としては、昇降可能に設けられ、かつ弾性部材によって常時上方に付勢されている可動型のスペーサ用凸部を備えており、前記カバーが前記閉状態に設定された状態において下向きに押圧された際には、前記可動型のスペーサ用凸部が下降することにより、前記試料載置部と前記試料押さえ部との間に形成された隙間を前記所定寸法よりも小さくすることが可能であり、かつその後に前記押圧を解除した際には、前記可動型のスペーサ用凸部が所定位置まで上昇し、前記隙間が前記所定寸法に規定されるように構成されている。
【００１３】
このような構成によれば、たとえば液体の試料が微量であり、試料載置部上に試料を載せた際に、その厚みが所定寸法に満たない場合であっても、次のように、前記試料の厚み（分光測定時における測定光路長）を所定寸法に規定することが可能となる。
すなわち、試料載置部上に液体の試料を載せてカバーを閉状態に設定した際に、試料が試料押さえ部に接触しない場合であっても、前記カバーを下向きに押圧し、試料載置部と試料押さえ部との隙間を小さくすれば、試料押さえ部を試料に接触させることができる。このような状態において、カバーを上昇させると、前記試料は、その表面張力に基づき、試料載置部と試料押さえ部との双方に接触した状態を保ち、これらの相互間に跨がった状態となる。このため、試料の厚みを所定の寸法に正確に規定することができる。
【００１４】
本発明において、好ましくは、前記セル本体部は、前記試料載置部を形成する透光部材を、この透光部材とは別部材によって支持させた構造とされ、前記カバーは、前記試料押さえ部を形成する透光部材を、この透光部材とは別部材によって支持させた構造とされている。
【００１５】
このような構成によれば、試料用セル全体に占める透光部材の使用割合を少なくすることが可能である。透光部材として、たとえば高品質のサファイアなどを用いた場合には、試料用セル全体の製造コストがかなり高価となる虞があるが、前記構成によれば、そのような高価な部品の使用量を少なくし、全体の製造コストが高価になることを抑制する上で有利となる。また、全体の強度を高くするといったことも可能となる。
【００１６】
本発明において、好ましくは、前記カバーのうち、前記セル本体部との連結が図られている一端部は、前記カバーを前記閉状態に設定した際に上下方向に移動可能であり、かつ前記一端部の上下方向への移動により、前記カバーの傾き角度の変更または傾きの修正が可能とされている。
【００１７】
このような構成によれば、カバーを閉状態に設定した際に、たとえば試料載置部と試料押さえ部とが非平行な対面状態に設定されてしまい、これを修正できなくなるといった不具合を生じないようにすることができる。
【００１８】
本発明において、好ましくは、前記セル本体部の試料載置部は、この試料載置部の周辺部よりも上向きに突出した凸状段部とされ、前記カバーの試料押さえ部は、このカバーの前記閉状態においてこの試料押さえ部の周辺部よりも下向きに突出した凸状段部とされている。
【００１９】
このような構成によれば、試料載置部および試料押さえ部を洗浄する作業が、より容易化される。
【００２０】
本発明のその他の特徴および利点は、添付図面を参照して以下に行なう発明の実施の形態の説明から、より明らかになるであろう。
【図面の簡単な説明】
【００２１】
【図１】本発明に係る試料用セルの一例を示し、（ａ）は、カバー開状態の斜視図であり、（ｂ）は、カバー閉状態の斜視図である。
【図２】（ａ）は、図１（ａ）のIIa−IIa断面図であり、（ｂ）は、図１（ｂ）のIIb−IIb断面図である。
【図３】（ａ）〜（ｃ）は、図１および図２に示した試料用セルを取り扱う際の一例を示す断面図である。
【図４】図１および図２に示す試料用セルの一使用例を示す説明図である。
【図５】本発明の他の例を示し、（ａ）は、正面断面図であり、（ｂ）は、（ａ）のVb−Vb断面図である。
【図６】本発明の他の例を示す断面図である。
【図７】本発明の他の例を示す断面図である。
【図８】（ａ），（ｂ）は、従来技術の一例を示す説明図である。
【発明を実施するための形態】
【００２２】
以下、本発明の好ましい実施の形態について、図面を参照して具体的に説明する。
【００２３】
図１に示す試料用セルＣ１は、たとえば赤外分光測定などに用いられるものであり、セ
ル本体部１、カバー２、およびこれらを連結する連結部３を具備している。
カバー２は、連結部３を中心として回転可能であり、図１（ａ）に示すように、セル本体部１の上方が開放した開状態と、同図（ｂ）に示すように、セル本体部１の上方を覆った閉状態とに選択的に設定可能である。
【００２４】
図２によく表われているように、セル本体部１は、試料載置部１１ａを形成する透光部材１１と、ベース部材１０とを有している。カバー２は、試料押さえ部２１ａを形成する透光部材２１と、ベース部材２０とを有している。ベース部材１０，２０は、たとえばステンレスなどの金属製あるいは硬質の樹脂製である。ベース部材１０は、略矩形の板状部１０ａの両側部に、上下に突出した一対の起立壁部１０ｂが設けられた構成である。ベース部材２０は、全体が略矩形の板状である。ただし、好ましくは、先端部（連結部３とは反対側の端部）側は、他の部分よりも幅が小さい狭幅部２０ａとされ（図１を参照）、カバー２を回転させる際に手で掴み易くなるように配慮されている。
【００２５】
カバー２のベース部材２０の一端部（基端部）には、貫通孔２５が設けられており、この貫通孔２５に、軸３１が挿通している。軸３１は、セル本体部１の一対の起立壁部１０ｂに支持されている。連結部３は、このような構造をもつ部分であり、カバー２は、軸３１を中心として回転可能である。ただし、本実施形態では、カバー２を閉状態とした際には、カバー２の一端部を、矢印Ｎ１０で示すように若干寸法だけ昇降させることが可能とされている。このような構成は、カバー２の閉状態時においてカバー２を傾斜させ、または傾斜をなくすのに役立つ。前記構成は、たとえば貫通孔２５を長孔状に形成することにより実現されているが、これに限定されない。貫通孔２５を軸３１よりも適当量だけ大径に形成したり、あるいは軸３１を上下方向に変位可能にセル本体部１に支持させるといった手段を採用してもよい。
【００２６】
試料載置部１１ａおよび試料押さえ部２１ａは、透光部材１１，２１を用いて形成されているが、これら透光部材１１，２１は、たとえば赤外光の透過率に優れたサファイアである。勿論、透光部材１１，２１の材質は、これに限定されない。透光部材１１，２１は、これらを個別に保持する樹脂製のホルダ１２，２２を介してベース部材１０，２０に取り付けられている。この取り付けに際し、セル本体部１については、透光部材１１の上面部である試料載置部１１ａは、その周辺部よりも適当寸法Ｈ１だけ上向きに突出した凸状段部とされている。カバー２については、試料押さえ部２１ａがその周辺部よりもセル本体部１側（カバー２の閉状態において下側）に適当寸法Ｈ２だけ突出した凸状段部とされている。試料載置部１１ａおよび試料押さえ部２１ａは、カバー２の閉状態時には、互いに対向するように位置決めされている。
【００２７】
セル本体部１のうち、透光部材１１の下方領域には、透光用の孔部１３が設けられている。同様に、カバー２のうち、透光部材２１の背面側領域（カバー２の閉状態において上側）には、透光用の孔部２３が設けられている。このことにより、カバー２の閉状態時には、試料載置部１１ａおよび試料押さえ部２１ａに対し、試料用セルＣ１の上方または下方から進行してくる光を適切に照射し、かつ透過させることが可能である。透光部材１１，２１のうち、試料載置部１１ａの反対面、および試料押さえ部２１ａの反対面には、これらの面の外周縁寄り部分を覆う遮光層１４，２４が設けられている。この遮光層１４，２４は、たとえば黒色の塗装膜を形成すること、あるいは遮光シートを貼付することにより設けられている。
【００２８】
セル本体部１には、複数のスペーサ用凸部４，４Ａがさらに設けられている。これらスペーサ用凸部４，４Ａは、カバー２を閉状態とした際に、カバー２のベース部材２０に当接することによって試料載置部１１ａと試料押さえ部２１ａとの間に隙間７を形成し、かつこの隙間７の寸法Ｌ１を所定寸法に規定するための部分である。スペーサ用凸部４，４
Ａは、いずれもベース部材１０の上面よりも上方に突出したピン状である。
【００２９】
スペーサ用凸部４，４Ａのうち、試料載置部１１ａよりも連結部３寄りに位置するスペーサ用凸部４は、高さＨ３が一定（不変）の固定型であるのに対し、これ以外のスペーサ用凸部４Ａは、高さＨ４を変更可能な可変型である。この可変型のスペーサ用凸部４Ａは、板状部１０ａをその厚み方向に貫通した状態に取り付けられて昇降可能であり、板状部１０ａに設けられた凹部１６内に位置するフランジ部４０を有している。このフランジ部４０は、ブラケット６０によって下部が支持されたバネ６１の弾発力を受けており、スペーサ用凸部４Ａは、常時上方に付勢されている。ただし、フランジ部４０は、凹部１６の上壁面に当接することにより、それ以上は上昇することが阻止されており、スペーサ用凸部４Ａの通常時の高さＨ４は、固定型のスペーサ用凸部４Ａの高さＨ３と同一である。このような可動型のスペーサ用凸部４Ａが設けられていることにより、図３を参照して後述するように、カバー２を本来の設定位置よりも下方に押し下げ、所望の作用を得ることが可能となる。セル本体部１には、把手部５も設けられている。この把手部５は、試料用セルＣ１を把持する際に手で掴むのに利用される部分である。
【００３０】
次に、前記した試料用セルＣ１の作用について説明する。
【００３１】
まず、試料用セルＣ１に液体の試料を保持させるには、図２（ａ）に示すように、カバー２を開状態とした上で、試料載置部１１ａ上に試料Ｓを滴下させる。次いで、同図（ｂ）に示すように、カバー２を開状態とする。このことにより、試料Ｓは、試料載置部１１ａと試料押さえ部２１ａとの両者に接触した状態でそれらの隙間７内に位置する。隙間７の寸法Ｌ１は、スペーサ用凸部４，４Ａがカバー２のベース部材２０に当接することによって所定の寸法に正確に規定される。このことにより、たとえば後述する赤外分光測定で要求される試料Ｓについての測定光路長の正確な設定が的確に図られる。
【００３２】
試料載置部１１ａ上に試料Ｓを滴下した場合、この試料Ｓが微量であるなどの理由から、図３（ａ）に示すように、試料Ｓの高さが隙間７の寸法Ｌ１に満たない場合が生じ得る。このような場合に対処するための方策として、試料用セルＣ１においては、次のような操作を行なうことができる。
【００３３】
すなわち、図３（ｂ）に示すように、カバー２のベース部材２０の先端部側を、矢印Ｎ１で示すように下向きに押圧し、カバー２の先端部側を押し下げる。その際、可動型のスペーサ用凸部４Ａは下降し、前記カバー２の押し下げが許容される。固定型のスペーサ用凸部４は下降しないものの、カバー２の基端部側は、矢印Ｎ２で示すように上昇する。このことにより、カバー２のベース部材２０については、先端下がり状に無理なく傾斜させ、試料押さえ部２１ａを試料載置部１１ａに接近させることができる。このようにすると、試料Ｓの上部は、試料押さえ部２１ａに接触させることが可能となる。このような状態において、カバー２の押し下げ操作を終了すると、図３（ｃ）に示すように、バネ６１の弾発力によってスペーサ用凸部４Ａが所定の高さまで上昇するために、カバー２は水平となり、試料載置部１１ａと試料押さえ部２１ａとの隙間７の寸法Ｌ１は、所定の寸法に正確に規定される。一方、試料Ｓは、その表面張力に基づき、試料載置部１１ａと試料押さえ部２１ａとの双方に接触し、かつこれらの相互間に跨がった状態を維持する。したがって、試料Ｓが微量であるにも拘わらず、その厚み（測定光路長）を所定の寸法に正確に規定することができる。
【００３４】
スペーサ用凸部４については、固定型とされており、その高さＨ３は、所定の高さに正確に設定されている。したがって、このスペーサ用凸部４は、カバー２の位置決め用の信頼性の高い基準とすることが可能である。たとえば、カバー２の先端部側を押し下げた後に、その押し下げ状態を解除したにも拘わらず、なんらかの事情に起因し、カバー２の先
端部側が本来の所定高さの位置に復帰しない場合には、スペーサ用凸部４の高さを基準として、カバー２の先端部側が低い高さに傾いたままとなる。したがって、ユーザは、そのような状態が生じていれば、カバー２が適切な位置に復帰していないことを容易に察知することができる。前記とは異なり、カバー２がスペーサ用凸部４の上方に隙間を隔てて浮いているような場合においても、そのような状態は不適切である旨をユーザが容易に察知することが可能となる。
【００３５】
前記した試料用セルＣ１を用いた分光測定は、たとえば図４に示すような分光測定装置８を用いて行なわれる。この分光測定装置８は、試料用セルＣ１を配置しておくための領域Ａを備えている。この領域Ａは、たとえば分光測定装置８の筐体８０の正面部などに設けられた開口部８１から試料用セルＣ１を差し込むと、この試料用セルＣ１を所定位置に適切に固定保持可能とする部位である。分光測定装置８においては、光源８２から発せられた光は、試料用セルＣ１に保持された試料Ｓに導かれ、かつその透過光が検出器８３によって受光される。検出器８３からは、データ処理部８４に向けて信号出力がなされ、この信号は、Ａ／Ｄ変換された後にデータ処理され、光の波長と試料Ｓの吸光度との相関関係のデータが求められる。このデータに基づいて、試料Ｓの同定処理などが可能である。前記データは、プリンタ８５やディスプレイ８６を利用して適宜出力される。試料用セルＣ１は、既述したように、透光部材１１，２１を用いて構成された試料載置部１１ａと試料押さえ部２１ａとの間に、試料Ｓを所定の厚み（測定光路長）で適切に保持させておくことができるために、前記した分光測定を正確に行なうことが可能である。
【００３６】
試料用セルＣ１においては、既述したように、カバー２を開閉式としてセル本体部１に連結させているために、試料載置部１１ａに試料押さえ部２１ａを対向配置させる操作などが容易である。また、試料用セルＣ１は、１つの試料Ｓの分光測定を終了した後には、その後の繰り返し使用を可能とすべく洗浄されるが、カバー２を開状態とすれば、カバー２とセル本体部１とを分離させることなく、試料載置部１１ａや試料押さえ部２１ａなどを容易に洗浄することができる。とくに、試料載置部１１ａや試料押さえ部２１ａは、それらの周縁部よりも高い段差部として形成されているために、これらの部分を効率良く、かつより容易に洗浄することができるといった利点も得られる。
【００３７】
その他、本実施形態の試料用セルＣ１においては、試料載置部１１ａや試料押さえ部２１ａについては、たとえばサファイア製の比較的高価な透光部材１１，２１を用いているものの、これ以外の部分については、金属製などとしているために、全体の製造コストを廉価にすることも可能がある。また、全体の強度を高めることもできる。
【００３８】
図５〜図７は、本発明の他の実施形態を示している。これらの図において、前記実施形態と同一または類似の要素には、前記実施形態と同一の符号を付している。
【００３９】
図５に示す試料用セルＣ２は、フローセルとして構成されている。具体的には、透光部材１１，２１は、たとえば平面視略矩形状であり、透光部材１１の上面部には、一定方向に延びる凹溝１９が形成されている。この凹溝１９は、本発明でいう試料載置部の一例に相当する。透光部材２１は、カバー２の閉状態時において、透光部材１１の上面部に当接するように設けられており、この透光部材２１の一部が、凹溝１９の上面部を塞ぐ試料押さえ部２１ａに相当している。凹溝１９は、その上面部が塞がれた状態において、この凹溝１９の長手方向両端に開口部１９ａ，１９ｂを形成するものであり、開口部１９ａは、試料の導入口とされ、かつ開口部１９ｂは、試料の流出口とされる。
本実施形態から理解されるように、本発明に係る試料用セルは、試料を固定状態で保持するものに限らず、フローセルとして構成することもできる。
【００４０】
図６に示す試料用セルＣ３は、試料載置部１１ａを形成する透光部材１１を保持するセ
ル本体部１と、試料押さえ部２１ａを形成する透光部材２１を保持するカバー２とを連結する連結部３Ａが、曲げ変形可能なヒンジ部３０を用いて構成されている。このような構成であっても、カバー２を回転させて、本発明が意図する作用を得ることが可能である。なお、図６においては、セル本体部１およびカバー２のベース部材１０，２０を樹脂製とし、かつこれらには互いに対向接触可能なスペーサ用凸部４を一体成形している。このような構成によれば、試料用セルＣ１３の製造コストを、より低減することが可能となる。なお、本実施形態から理解されるように、本発明でいうスペーサ用凸部を設ける場合には、セル本体部１のみに設けることに代えて、セル本体部１およびカバー２の双方に設けてよく、さらにはカバー２のみに設けた構成とすることもできる。スペーサ用凸部の形状は、ピン状でなくてもよく、たとえば平面視矩形状などの凸部などであってもよい。また、スペーサ用凸部の具体的な配置や数なども限定されるものではない。
【００４１】
図７に示す試料用セルＣ４は、セル本体部１およびカバー２の双方を、透光性を有する樹脂製としており、セル本体部１の一部を試料載置部１１ａとし、カバー２の一部を試料押さえ部２１ａとしている。スペーサ用凸部４も、セル本体部１やカバー２に一体成形している。本実施形態から理解されるように、本発明は、セル本体部１およびカバー２の全体または略全体を、透光性部材を用いて形成することもできる。この場合、ヒンジ部３０をも含めて全体を一体成形することも可能である。もちろん、ヒンジ部３０を採用することなく、セル本体部１とカバー２とを軸などを用いて回転可能に連結した構成とすることもできる。
【００４２】
本発明は、上述した実施形態の内容に限定されない。本発明に係る試料用セルの各部の具体的な構成は、本発明の意図する範囲内において種々に設計変更自在である。
【００４３】
本発明に係る試料用セルは、分光測定用途に用いられるものに限らない。たとえば、試料の分光測定以外の分析、検査、撮像、あるいは単なる観察などを行なうといった用途にも用いることが可能であり、その具体的な用途は限定されない。試料は、液体に限らず、たとえば粉体なども試料とすることができる。
【符号の説明】
【００４４】
Ｃ１〜Ｃ４  試料用セル
１  セル本体部
２  カバー
３  連結部
４，４Ａ  スペーサ用凸部
７  隙間（試料載置部と試料押さえ部との間に形成された隙間）
１０  ベース部材（セル本体部の）
１１  透光部材
１１ａ  試料載置部
２０  ベース部材（カバーの）
２１  透光部材
２１ａ  試料押さえ部
６１  バネ（弾性部材）
【図１】
2014228404.tif 000003
【図２】
2014228404.tif 000004
【図３】
2014228404.tif 000005
【図４】
2014228404.tif 000006
【図５】
2014228404.tif 000007
【図６】
2014228404.tif 000008
【図７】
2014228404.tif 000009
【図８】
2014228404.tif 000010